(57)【特許請求の範囲】
【請求項１】
先端領域に工具ビットが取付け可能な工具本体と、当該工具本体に取付けられた補助ハンドルとを備えた作業工具に適用される集塵アタッチメントであって、
前記工具ビットが直線動作のみを行う第１作業モードのときに使用され、前記工具本体の先端領域の長軸方向周りに前記工具ビットを包囲するビット包囲部と、前記工具本体の先端領域の長軸方向周りに当該先端領域を包囲する先端領域包囲部とを有する集塵部材と、
前記工具ビットが少なくとも回転動作を行う第２作業モードのときに使用され、前記工具本体の先端領域の長軸方向周りに前記工具ビットを包囲するビット包囲部と、前記工具本体の先端領域の長軸方向周りに当該先端領域を包囲する先端領域包囲部とを有する集塵部材と、
前記第１作業モード用の集塵部材又は前記第２作業モード用の集塵部材を集塵機に接続可能な接続ホースと、
を有し、
前記第１作業モード用の集塵部材と前記第２作業モード用の集塵部材は、前記作業工具の加工作業によって生じた粉塵を集塵するべく、前記工具本体の先端領域の長軸方向周りを包囲するように選択的に前記補助ハンドルに取付可能であり、かつそれぞれの少なくとも前記ビット包囲部が互いに取り換え可能とされており、
前記第１作業モード用の集塵部材と前記第２作業モード用の集塵部材は、前記工具ビットの取外し作業用及び／又はビット角度調整作業用として前記作業工具の先端領域に備えられた操作部材と対応する部位に、当該操作部材の手指による操作を可能とする開放部を有することを特徴とする集塵アタッチメント。
【請求項２】
請求項１に記載の集塵アタッチメントであって、
前記第１作業モード用の集塵部材と前記第２作業モード用の集塵部材は、当該集塵部材の長軸方向の一端部に突部を有し、当該突部が前記補助ハンドルに形成された取付孔に挿入されることで当該補助ハンドルに取付けられることを特徴とする集塵アタッチメント。
【請求項３】
請求項２に記載の集塵アタッチメントであって、
前記取付孔に挿入された突部は、前記取付孔の壁面に設けられた樹脂バネと係合することで挿入位置に保持されることを特徴とする集塵アタッチメント。
【請求項４】
請求項２又は３に記載の集塵アタッチメントであって、
前記取付孔と突部は、前記第１作業モード用の集塵部材と前記第２作業モード用の集塵部材の周方向に関して２個ずつ設けられ、かつ前記突部は、円柱のピン状に形成されていることを特徴とする集塵アタッチメント。
【請求項５】
請求項１〜４のいずれか１つに記載の集塵アタッチメントであって、
前記第１作業モードで使用される集塵部材は、長軸方向の先端領域の開口面積が、前記ビット包囲部における断面積よりも大きく設定されるとともに、長軸方向の途中領域に工具ビット外径と集塵部材内径との隙間を狭める領域が形成されていることを特徴とする集塵アタッチメント。
【請求項６】
請求項１〜５のいずれか１つに記載の集塵アタッチメントであって、
前記接続ホースを前記工具本体に固定する固定手段を有することを特徴とする集塵アタッチメント。
【請求項７】
請求項６に記載の集塵アタッチメントであって、
前記固定手段は、前記接続ホースを前記工具本体に結わえる帯状部材であることを特徴とする集塵アタッチメント。
【請求項８】
請求項６又は７に記載の集塵アタッチメントであって、
前記接続ホースは、前記工具本体に設けたホース外径に倣う凹面を有するホース保持部によって保持されることを特徴とする集塵アタッチメント。
【請求項９】
請求項１〜８のいずれか１つに記載の集塵アタッチメントを有する作業工具。
【発明の詳細な説明】
【技術分野】
【０００１】
本発明は、工具ビットの駆動によって被加工材に所定の加工作業を遂行する作業工具に適用されて加工作業時に生じた粉塵を集塵する集塵アタッチメントに関する。
【背景技術】
【０００２】
この種の集塵アタッチメントは、例えば、特許第３７２６４３７号公報に記載されている。当該公報に記載の集塵アタッチメントは、ハンマビットが長軸方向の直線動作と周方向の回転動作とを行う穿孔工具（ハンマドリル）に適用され、被加工材（コンクリート）に対する穴開け加工作業時に生じた粉塵を集塵する集塵カップを主体として構成される。集塵カップは、蛇腹状に形成されており、工具本体の先端領域の長軸方向周りを包囲するように配置されるとともに、その長軸方向の一端部がハンマドリルのサイドハンドルに取付けられている。
上記の集塵カップによれば、加工作業時に発生した粉塵を集塵できるものの、粉塵の集塵処理に関しては、更なる合理化の要請がある。
【先行技術文献】
【特許文献】
【０００３】
特許第３７２６４３７号公報
【発明の概要】
【発明が解決しようとする課題】
【０００４】
本発明は、上記の問題に鑑み、作業工具に用いられる集塵アタッチメントにおいて、粉塵の集塵処理の合理化に資する技術を提供することをその目的とする。
【課題を解決するための手段】
【０００５】
上記課題を達成するため、本発明の好ましい形態によれば、先端領域に工具ビットが取付け可能な工具本体と、当該工具本体に取付けられた補助ハンドルとを備えた作業工具に適用される集塵アタッチメントが構成される。
【０００６】
本発明の別の形態によれば、工具本体の先端領域に取付けられた工具ビットによって被加工材に所定の加工作業を行う作業工具に適用される集塵アタッチメントが構成される。集塵アタッチメントは、工具ビットが直線動作のみを行う第１作業モードのときに使用され、工具本体の先端領域の長軸方向周りに前記工具ビットを包囲するビット包囲部と、工具本体の先端領域の長軸方向周りに当該先端領域を包囲する先端領域包囲部とを有する集塵部を有する。また、工具ビットが少なくとも回転動作を行う第２作業モードのときに使用され、工具本体の先端領域の長軸方向周りに工具ビットを包囲するビット包囲部と、工具本体の先端領域の長軸方向周りに当該先端領域を包囲する先端領域包囲部とを有する集塵部材を有する。また、第１作業モード用の集塵部材又は第２作業モード用の集塵部材を集塵機に接続可能な接続ホースを有する。そして、第１作業モード用の集塵部材と第２作業モード用の集塵部材は、作業工具の加工作業によって生じた粉塵を集塵するべく工具本体の先端領域の長軸方向周りを包囲するように選択的に補助ハンドルに取付可能であり、かつそれぞれの少なくともビット包囲部が互いに取り換え可能とされている。なお、本発明における「作業工具」は、典型的には、工具ビットが長軸方向に直線動作して被加工材にハンマ作業を行なうハンマ、あるいは工具ビットが長軸方向の直線動作と長軸回りの回転動作をすることで被加工材にハンマドリル作業を行なうハンマドリルがこれに該当する。
【０００７】
本発明によれば、工具ビットが直線動作のみを行う第１作業モードでの加工作業（ハンマ作業）に用いられる集塵部材と、工具ビットが少なくとも回転動作を行う第２作業モードでの加工作業（穴開け作業）に用いられる集塵部材とにつき、ビット包囲部を互いに取り換える態様で、あるいはビット包囲部のみならず先端領域包囲部をも含めた全体を互いに取り換える態様で工具本体の先端領域に取り付けて使用できる。このため、加工作業を行う場合において、当該作業モードごとに粉塵を効率良く集塵できるように設計された集塵部材を用いて集塵することができる。例えば、第１作業モードのハンマ作業の場合であれば、粉塵（コンクリートの欠片）が入り易いようにビット包囲部が円錐状（ラッパ状）に形成された集塵部材を用いることができ、他方、第２作業モードの穴開け作業の場合であれば、被加工材に押し付けた状態での作業を可能とするためにビット包囲部が伸縮構造に形成された集塵部材を用いることができる。このように、本発明によれば、各作業モードに適した集塵部材を使用することによって合理的な集塵処理が可能となる。特にビット包囲部を互いに取り換える態様の場合には、先端領域包囲部が共用できることになり、合理的である。
【０００８】
工具本体に取付けられる補助ハンドルは、非回転部材である。本発明に係る集塵アタッチメントは、このような非回転部材である補助ハンドルに取付け可能としている。このため、工具ビットが長軸方向の打撃動作する作業工具及び工具ビットが長軸方向の打撃動作と長軸周りに回転動作する作業工具のいずれにも適用することができる。また、補助ハンドルは工具本体に後付けされる部材であるため、当該補助ハンドルに集塵アタッチメントを取付ける構成としたことで、作業工具の工具本体に何ら変更を加えることなく適用可能となる。
【０００９】
また、本発明によれば、第１作業モード用の集塵部材又は第２作業モード用の集塵部材を集塵機に接続する接続ホースを備えている。このため、加工作業時に生じた粉塵を集塵部材によって集塵するとともに、当該集塵部材内の粉塵を集塵機によって強制的に吸い込み処理することができる。このため、強制集塵しない構成の場合に必要とされる、集塵部材に溜まった粉塵の処理作業が不要となり、合理的な集塵処理が実現される。また、集塵部材内の粉塵処理のために、加工作業を一時的に中断する必要も無くなり、作業性の向上にもつながる。
【００１０】
また、本発明によれば、第１作業モード用の集塵部材と第２作業モード用の集塵部材は、工具ビットの取外し作業用及び／又はビット角度調整作業用として作業工具の先端領域に備えられた操作部材と対応する部位には、当該操作部材の手指による操作を可能とする開放部を有する。このような構成とすることで、作業工具に集塵部材を取付けたままの状態で、開放部を通して操作部材を操作することが可能となり、これによって、工具ビットの取り外し作業及び／又はビット角度調整作業の作業性を向上することができる。
なお、本発明における「操作部材」は、典型的には、工具保持装置にて保持された工具ビットを取り外すべく当該工具保持装置のビット保持解除操作を行う部材、及び／又は作業工具が工具ビットを長軸方向に直線動作させるハンマモードで作業する場合に、工具保持装置にて保持された工具ビットの角度が所定の角度となるように調整する部材がこれに該当する。
【００１１】
本発明の更なる形態によれば、第１作業モード用の集塵部材と第２作業モード用の集塵部材は、当該集塵部材の長軸方向の一端部に突部を有し、当該突部が補助ハンドルに形成された取付孔に挿入されることで当該補助ハンドルに取付けられる。このような構成とすることによって、補助ハンドルに対する集塵部材の取付けを容易に行うことができる。
【００１２】
本発明の更なる形態によれば、取付孔に挿入された突部は、取付孔の壁面に設けた樹脂バネと係合することで挿入された位置に保持される。なお、「係合」の態様としては、突部が取付孔の所定位置まで挿入されたときに、突部側と樹脂バネが凹凸形状によって互いに係合する構成とすることが好ましい。本発明によれば、取付孔に挿入された突部を樹脂バネによって保持できるため、加工作業時の振動等によって集塵部材が補助ハンドルから不測に外れるといったことが防止できる。また、樹脂バネについては、取付孔の構成部材に一体に形成することが可能なため、製作性が向上する。
【００１３】
本発明の更なる形態によれば、取付孔と突部は、集塵部材の周方向に関して２個ずつ設けられ、かつ突部は、円柱のピン状に形成されている。このような構成とすることで、突部が取付孔に挿入し易くなり、かつ集塵部材を補助ハンドルに安定した状態で取付けることができる。
【００１４】
本発明の更なる形態によれば、第１作業モードで使用される集塵部材は、その長軸方向の先端領域の開口面積が、ビット包囲部における開口断面積よりも大きく設定されるとともに、長軸方向の途中領域に工具ビット外径と集塵部材内径との隙間を狭める領域が形成されている。このように先端領域の開口面積を広くすることによって粉塵を効率良く受け入れることができる。また、集塵部材は、長軸方向の途中領域に工具ビット外径と集塵部材内径との隙間を狭める領域があることで、大きな欠片が下流側に吸い込まれてホースが詰まるといった現象を防止できる。
【００１５】
本発明の更なる形態によれば、接続ホースを作業工具の工具本体に固定する固定手段を有する。これによって、接続ホースを工具本体の外面に沿わせて固定することが可能となり、作業中において接続ホースが垂れ下がって揺れ動くことが防止され、作業の邪魔にならない。
【００１６】
本発明の更なる形態によれば、固定手段は、接続ホースを工具本体に結わえる帯状部材である。このような構成とすることで、接続ホースを工具本体に簡単に固定することができる。なお、「結わえる」の態様としては、典型的には、結ぶ、縛るがこれに該当するが、面ファスナーで固定する態様等、広く包含する。
【００１７】
本発明の更なる形態によれば、接続ホースは、工具本体に設けたホース外径に倣う凹面を有するホース保持部によって保持される。このような構成とすることで、工具本体に対する接続ホースの固定状態をより安定化できる。
【００１８】
本発明の更なる形態によれば、請求項１〜８のいずれか１つに記載の集塵アタッチメントを有する作業工具が構成される。これにより、集塵効果が向上された集塵アタッチメントを備えた作業工具を提供することができる。
【発明の効果】
【００１９】
本発明によれば、作業工具に用いられる集塵アタッチメントにおいて、粉塵の集塵処理の合理化に資する技術が提供されることとなった。
【図面の簡単な説明】
【００２０】
【図１】本発明の第１の実施形態に係るハンマドリル作業用の集塵アタッチメントが取付けられたハンマドリルの全体構成を示す一部断面図である。
【図２】図１の一部（集塵アタッチメント側）を拡大して示す拡大図である。
【図３】集塵アタッチメントの取付対象であるサイドグリップを示す断面図である。
【図４】図３のＡ矢視図である。
【図５】集塵アタッチメントをハンマドリルの後方（図１の右側）から見た図である。
【図６】図１のＢ−Ｂ線断面図である。
【図７】本発明の第２の実施形態に係るハンマ作業用の集塵アタッチメントを示す図である。
【図８】ハンマ作業用の集塵アタッチメントを拡大して示す図である。
【図９】ハンマ作業用の集塵アタッチメントの集塵カップのカップ本体をハンマドリルの前方（図７の左側）から見た図である。
【図１０】本発明の第３の実施形態に係る集塵アタッチメントが取付けられたハンマの全体構成を示す断面図である。
【図１１】図１０の一部（集塵アタッチメント側）を拡大して示す拡大図である。
【発明を実施するための形態】
【００２１】
（本発明の第１の実施形態）
以下、本発明の第１の実施形態につき、図１〜図６を参照しつつ詳細に説明する。本実施の形態は、集塵アタッチメントを、作業工具の一例としての電動式のハンマドリルに適用した場合で説明する。まず、集塵アタッチメントが適用されるハンマドリルにつき説明する。図１及び図２に示すように、ハンマドリル２０１は、概括的に見て、ハンマドリル２０１の外郭を構成する本体部２０３、当該本体部２０３の先端領域（前端部側）に工具保持装置２０４を介して着脱自在に取付けられるハンマビット２１９、及び本体部２０３におけるハンマビット２１９の反対側（後端部側）に配置されるメインハンドルとしてのハンドグリップ２０９を主体として構成される。ハンマビット２１９は、工具保持装置２０４に対し、その長軸方向への相対的な移動が可能に、かつその周方向への相対的な回動が規制された状態で把持される。本体部２０３は、本発明における「工具本体」に対応し、ハンマビット２１９は、本発明における「工具ビット」に対応する。なお説明の便宜上、ハンマビット２１９側を前、ハンドグリップ２０９側を後という。
【００２２】
本体部２０３は、駆動モータ（便宜上図示を省略する）を収容したモータハウジング２０５と、ハンマビット２１９の打撃動作及び回転動作に関わる内部機構を収容したギアハウジング２０７とを主体として構成されている。本実施の形態では、駆動モータは、その回転軸線がハンマビット２１９の長軸方向に対して交差するように配置される。このため、本体部２０３は、図１に示すように、モータハウジング２０５とギアハウジング２０７が概ねＬ型をなすボディ構造とされる。また、本体部２０３の後端部に配置されるハンドグリップ２０９は、ハンマビット２１９の長軸方向と交差する上下方向に延在するとともに、その上下の各端部が本体部２０３に連接された概ねＤ形ハンドルとして構成されている。ギアハウジング２０７は、その前方に筒状のバレル部２０６を備えており、当該バレル部２０６にサイドグリップ２０８が着脱自在に取付けられている。サイドグリップ２０８は、本発明における「補助ハンドル」に対応する。サイドグリップ２０８の取付けについては、後述する。
【００２３】
なお、内部機構は、駆動モータの回転出力を直線運動に変換する運動変換機構としてのクランク機構（便宜上図示を省略する）と、当該クランク機構の直線運動成分を介して本体部２０３の長軸方向（図１における左右方向）に直線動作することでハンマビット２１９に打撃動作を加える打撃要素２１５と、駆動モータの回転出力を適宜減速した上でハンマビット２１９に伝達し、当該ハンマビット２１９を周方向に回転動作させる動力伝達機構（便宜上図示を省略する）とを主体として構成される。打撃要素２１５は、直線動作する打撃子としてのストライカ２３５と、当該ストライカ２３５の打撃力をハンマビット２１９に伝達する中間子としてのインパクトボルト２３７を主体として構成される（図２参照）。なお、内部機構によってハンマビット２１９を打撃動作及び回転動作させる具体的構成については、周知の技術であるゆえに、詳細な説明を省略する。
【００２４】
工具保持装置２０４は、図２に示すように、ハンマビット２１９の軸部が抜き取り可能に挿入される円形断面のビット挿入孔２４１ａを有する円筒状のツールホルダ２４１と、当該ビット挿入孔２４１ａに挿入されたハンマビット２１９の抜き取りを規制する規制部材としての複数の係止爪２４３と、当該係止爪２４３によるハンマビット２１９の抜き取り規制を解除操作可能な略筒状のツールスリーブ２４５とを主体にして構成される。ツールスリーブ２４５は、概ね筒状部材であり、ギアハウジング２０７のバレル部２０６の前方位置にハンマビット２１９の長軸方向への移動操作可能に配置されており、常時には付勢バネ２４９によって前方へと付勢され、規制リング２４７を介して係止爪２４３を抜き取り規制位置（図示位置）に保持している。そしてツールスリーブ２４５を後方（ハンドグリップ２０９側）へとスライド操作したときに、係止爪２４３のビット抜き取り規制を解除する構成とされている。ツールスリーブ２４５は、本発明における「ビット取外し作業用の操作部材」に対応する。
【００２５】
上記のように構成されるハンマドリル２０１においては、トリガ２０９ａの引き操作によって駆動モータが通電駆動されると、その回転出力は、運動変換機構を介して直線運動に変換された後、打撃要素を介してハンマビット２１９に長軸方向の直線運動として伝達され、ハンマビット２１９が直線動作（以下、打撃動作ともいう）する。また、駆動モータの回転出力によって駆動される動力伝達機構を介して工具保持装置２０４に回転動作が伝達され、これにより工具保持装置２０４に保持されたハンマビット２１９に周方向の回転動作が加えられる。すなわち、ハンマビット２１９は、長軸方向の打撃動作と周方向の回転動作を行い、被加工材（コンクリート）にハンマドリル作業（穴開け作業）を遂行する。
【００２６】
そして、ハンマドリル２０１は、上記のようにハンマビット２１９に長軸方向の打撃動作と周方向の回転動作を行わせるハンマドリルモードのほか、ハンマビット２１９に回転動作のみを行わせるドリルモード、あるいは打撃動作のみを行なわせるハンマモードに切替えることができるように構成されるが、この作業モード切替えについては、周知の技術であり、かつまた本発明には直接には関係しないため、その説明を省略する。
【００２７】
上記のように構成されたハンマドリル２０１は、被加工材（例えば、コンクリート）に対する加工作業時に粉塵を発生する。この粉塵を集塵するべく、本実施の形態に係る集塵アタッチメント２５０は、サイドグリップ２０８に取付ける構成としている。従って、集塵アタッチメント２５０の説明に先行してサイドグリップ２０８について説明する。サイドグリップ２０８は、ギアハウジング２０７のバレル部２０６に取付けられる構成であり、このためにバレル部２０６の外面には、本体部２０３の長軸方向に平行な所定幅の円周面によって構成されるグリップ装着部２８１が形成されている。サイドグリップ２０８は、全体としては、図３に示すように、ハンマビット２１９の長軸方向に対して交差する方向に延在する棒状部材として構成されている。
【００２８】
サイドグリップ２０８は、図３に示すように、バレル部２０６のグリップ装着部２８１の外表面に巻かれるバンド部２８３と、バンド部２８３の端部側に配置されるとともにグリップ装着部２８１の外表面に係合する略Ｕ形の係合面２８５ａを有するベース部２８５と、ベース部２８５に長軸回りに相対回動自在に連接されるグリップ部２８７と、バンド部２８３を締め付ける締付用ネジ付き操作ロッド２８９とを主体として構成される。操作ロッド２８９は、グリップ部２８７及びベース部２８５の中心部を遊嵌状に貫通して長軸方向に延在し、一端がバンド部２８３の端部に連結され、他端がグリップ部２８７の内部に配置されたナット２８６に螺合されている。ナット２８６はグリップ部２８７に対し相対回動が規制されている。従って、グリップ部２８７を長軸線回りに右回りあるいは左回りに回転操作し、ナット２８６に螺合した締付用ネジ付き操作ロッド２８９を長軸方向に前進動作あるいは後退動作させることによってバンド部２８３の締付け、及び締付け解除を行うことができる。バンド部２８３の締め付けによりサイドグリップ２０８は、グリップ装着部２８１に固定される。本実施の形態では、サイドグリップ２０８が本体部２０３の側方に向って概ね水平状に突出するように取付けられた状態が示される。
【００２９】
次に、集塵アタッチメント２５０を説明する。本実施の形態に係る集塵アタッチメント２５０は、ハンマビット２１９がハンマドリルモードあるいはドリルモードで駆動される穴開け作業用として形成されている。集塵アタッチメント２５０は、図２に示すように、ハンマビット２１９を含んで本体部２０３の先端領域を覆う両端開放筒状の集塵カップ２５１と、集塵カップ２５１を集塵機に接続する接続ホース２７３を主体として構成される。集塵カップ２５１は、本発明における「集塵部材」に対応する。集塵カップ２５１は、伸縮自在な蛇腹状のカップ本体２５３と、当該カップ本体２５３の長軸方向（伸縮方向）の一端（後端）側に接合される円筒状のカップ取付部２５５とを有し、サイドグリップ２０８に取付けられた状態では、カップ本体２５３によってハンマビット２１９を取り囲むように覆い、カップ取付部２５５によって本体部２０３の先端部分、すなわちハンマビット２１９を保持する工具保持装置２０４を取り囲むように覆う構成とされる。カップ本体２５３は、本発明における「ビット包囲部」に対応し、カップ取付部２５５は、本発明における「先端領域包囲部」に対応する。カップ取付部２５５には、カップ本体２５３との接合側にカップ取付部２５５の内部空間に開口する粉塵排出ノズル２５９と、ハンマビット２１９の軸部との隙間を狭めるシール部材２６３が設けられている。粉塵排出ノズル２５９は、本発明における「ホース接続口」に対応する。なお、穴開け作業に用いられる集塵アタッチメント２５０は、図１に示すように、穴開け作業用のハンマビット（ドリルともいう）２１９の概ね全体を覆うように集塵カップ２５１の長軸方向長さが設定される。
【００３０】
カップ取付部２５５の後端側（本体部２０３側）には、サイドグリップ２０８への取付用として、図５に示すように周方向に１８０度の間隔を置いて２本の円形断面のポール２６５が後方へ互いに並行に延在されている。これに対応して、サイドグリップ２０８のベース部２８５には、図３に示すように、カップ取付部２５５と対向する２個の係合孔２６７が形成されている。そして、図２に示すように、当該係合孔２６７にポール２６５の先端（後端）が差し込まれ、これによってカップ取付部２５５がサイドグリップ２０８のベース部２８５に対してハンマビット２１９の長軸方向に所定の間隔を置いて対向するよう取付けられる。ポール２６５は、本発明における「突部」に対応し、係合孔２６７は、本発明における「取付孔」に対応する。
【００３１】
本実施の形態では、カップ取付部２５５に後方に突出する２本のポール２６５を設けることで、カップ取付部２５５の後端側にカップ取付部２５５の後面と２本のポール２６５で囲まれる後方が開放された略Ｕ字状の２個の空間が形成される。そして、図２に示すように、ポール２６５を介してカップ取付部２５５をサイドグリップ２０８に対しハンマビット２１９の長軸方向に関して所定の間隔を置いて取り付けた状態では、サイドグリップ２０８のベース部２８５とカップ取付部２５５との間に、作業者が手指を差し込んで工具保持装置２０４のツールスリーブ２４５の後端部、すなわち摘み部２４５ａの操作を可能とするべく、カップ取付部２５５の後面、ベース部２８５の前面、及び２本のポール２６５によって囲まれた周方向に２箇所の作業空間２６９が形成される。作業空間２６９は、本発明における「開放部」に対応する。なお、作業空間２６９の前後方向の長さについては、ポール２６５の長さを変えることによって適宜に設定することが可能である。
【００３２】
サイドグリップ２０８のベース部２８５には、図２〜図４に示すように、係合孔２６７の内径側に突出する略半球状の係合突部２７１ａを有する係合部材２７１が設けられている。この係合部材２７１は、係合孔２６７内に集塵カップ２５１のポール２６５が挿入されたとき、当該ポール２６５の外周面に形成された環状の係合溝２６５ａに対して弾発状に係合することで、当該ポール２６５を挿入位置に保持するポール保持部材として備えられる。なお、ポール２６５を前方へと引っ張り、係合部材２７１を外径方向へと弾性変形させて係合突部２７１ａを係合溝２６５ａから脱出させることによって、当該ポール２６５の係合孔２６７からの抜き取りが可能とされている。係合部材２７１は、本発明における「樹脂バネ」に対応する。
【００３３】
粉塵排出ノズル２５９には、集塵機との接続に用いられる接続ホース２７３が接続可能とされる。粉塵排出ノズル２５９に接続された接続ホース２７３は、図１に示すように、当該粉塵排出ノズル２５９から本体部２０３側、具体的にはモータハウジング２０５の前面側へと延在されるとともに、当該モータハウジング２０５の前面に沿って下方へと延出されている。そして接続ホース２７３は、加工作業中に垂れ下がって揺れ動かないようにモータハウジング２０５及び当該モータハウジング２０５の下方の電源コード保護用のコードガード２７５に対しそれぞれ結束バンド２７７によって結わえられている。結束バンドは、本発明における「固定手段」及び「帯状部材」に対応する。
【００３４】
また、モータハウジング２０５の前面には、接続ホース２７３の外径に倣う凹面部を有するホース保持リブ２７９が形成されており、図６に示すように、当該ホース保持リブ２７９の凹面部に接続ホース２７３の外面が係合し、これによって結束バンド２７７で結わえられた接続ホース２７３の動きが更に拘束されることになり、接続ホース２７３の更なる安定化が図られている。ホース保持リブ２７９は、本発明における「ホース保持部」に対応する。
【００３５】
本実施の形態に係る集塵アタッチメント２５０は、上記のように構成されている。ハンマドリル２０１による被加工材（コンクリート）に対する穴開け作業は、集塵カップ２５１の先端を被加工材に押し付けた状態で行う。本実施の形態に係る集塵カップ２５１は、先端側であるカップ本体２５３が伸縮自在な蛇腹状に形成されているため、ハンマビット２１９の穴開け動作の進行に伴い本体部２０３が被加工材に近づくに連れてカップ本体２５３が縮小動作することで穴開け作業に適した集塵が可能となる。そして、穴開け作業によって生じた粉塵は、集塵カップ２５１によって集められ、粉塵排出ノズル２５９から接続ホース２７３を経て集塵機により強制的に吸引処理される。
【００３６】
上記のように、本実施の形態によれば、穴開け作業時に生じた粉塵を集塵カップ２５１内に集塵すると同時に当該集塵カップ２５１に集塵された粉塵を集塵機によって強制的に吸引処理することができる。このため、単に集塵カップ内に粉塵を集める構成の場合であれば必要とされる、集塵カップ２５１に溜まった粉塵の処理作業が不要となり、合理的な集塵処理が実現される。また、集塵カップ２５１内の粉塵処理のために、加工作業を一時的に中断する必要も無くなり、作業性の向上にもつながる。
【００３７】
また、本実施の形態においては、ハンマドリル２０１の本体部２０３に取付けられる後付けタイプのサイドグリップ２０８に集塵アタッチメント２５０を取付ける構成としている。このため、ハンマドリル２０１の本体部２０３に何ら変更を加えることなく適用することが可能となる。また、サイドグリップ２０８は、非回転部材であるから、ハンマドリル２０１をハンマドリルモードあるいはドリルモードで駆動する穴開け作業に好適に適用することができる。
【００３８】
また、集塵アタッチメント２５０は、２本のポール２６５を介してサイドグリップ２０８に取付けられる。このとき、本実施の形態では、集塵カップ２５１の粉塵排出ノズル２５９の突出方向が本体部２０３に取付けられたサイドグリップ２０８の突出方向に対し周方向において概ね９０度の位相差を有する構成としている。これによって、集塵カップ２５１をサイドグリップ２０８に取付ける構成でありながら、粉塵排出ノズル２５９に接続された接続ホース２７３がサイドグリップ２０８を把持する手指に干渉することを回避できる。また、接続ホース２７３を結束バンド２７７によって本体部２０３に沿うように固定したことによって、接続ホース２７が下方へ垂れ下がって揺れ動くことを防止できる。このようなことから、作業者がサイドグリップ２０８を把持した加工作業を行う際、接続ホース２７３が作業の邪魔にならず、作業性の向上を図ることができる。
【００３９】
また、本実施の形態では、２本のポール２６５によって区画された周方向に２箇所のビット取外し作業用の作業空間２６９を形成し、当該作業空間２６９を通して工具保持装置２０４のツールスリーブ２４５の摘み部２４５ａを手指により操作可能としている。従って、集塵アタッチメント２５０を本体部２０３に取付けたままの状態で、２箇所の作業空間２６９から手指を差し込んで工具保持装置２０４のツールスリーブ２４５を後方へと移動させ、係止爪２４３によるハンマビット２１９の抜け規制を解除し、ハンマビット２１９を工具保持装置２０４のツールホルダ２４１のビット挿入孔２４１ａから取り外すことができる。すなわち、集塵アタッチメント２５０を本体部２０３に取付けたままの状態で、ハンマビット２１９の取外し作業を行うことができる。
【００４０】
ところで、ハンマビット２１９に打撃動作のみを行わせるハンマモードへの切替えが可能とされたハンマドリル２０１においては、ハンマモードでの加工作業時に、ハンマビット２１９の角度を一定に保つ（周方向に移動させない）ために、ハンマビット２１９を回転規制する（工具保持装置２０４のツールホルダ２４１をギアハウジング２０７に強制的にロックする）ビット角度決め機構（バリオロック機構）を備えている。そして、ハンマビット２１９のビット角度決め機構は、ハンマビット２１９の作業モードを、作業モード切替レバーを、例えばハンマドリルモードからハンマモードへ切替える切替え動作の途中領域で回転規制が解除され、ハンマモードに切替えた状態では、再び回転規制がなされるように構成されている。従って、ビット角度決め機構による回転規制が解除された切替え動作の途中領域で、工具保持装置２０４のツールスリーブ２４５を手指で周方向に回動操作することによってハンマビット２１９の角度決め作業を行うことができる。すなわち、本実施の形態に係る集塵アタッチメント２５０によれば、作業者は、ビット取り外し作業用の作業空間２６９を利用して集塵アタッチメント２５０を本体部２０３に取付けたままの状態で、ハンマビット２１９の角度決め作業を行うことができる。
【００４１】
（本発明の第２の実施形態）
次に本発明の第２の実施形態に係る集塵アタッチメント３５０につき、図７〜図９を参照しつつ説明する。この第２の実施形態に係る集塵アタッチメント３５０は、穴開け作業用からハンマ作業用に変更したものであり、ハンマビットが直線動作のみを行うハンマに適用可能であるし、ハンマビットが直線動作のみを行うハンマモードと、直線動作と回転動作とを行うハンマドリルモード間での作業モードの切替えが可能なハンマドリルにも適用可能である。なお、ハンマは、周知のように、ハンマビットを回転動作するための動力伝達機構を有していない点以外については、ハンマドリルと同様に構成されている。
【００４２】
本実施の形態は、便宜上、第１の実施形態で説明したハンマドリル２０１に適用した場合とする。従って、工具保持装置２０４を含むハンマドリル２０１の構成及び当該ハンマドリル２０１に取付けられるサイドグリップ２０８の構成については、第１の実施形態で用いた符号と同一の符号を付してその説明を省略する。
【００４３】
本実施形態においては、図７及び図８に示すように、ハンマ作業用の集塵アタッチメント３５０について、ハンマ作業用のハンマビット（ブルポイントともいう）２１９の先端部分が集塵カップ３５１の先端から所定長さで突出するように構成し、集塵カップ３５１のカップ本体３５３について、先端側に向って内径が大きくなる円錐筒状（ラッパ状）に形成している。すなわち、先端領域の開口面積を最大としている。このような構成とすることによって、ハンマ作業時において、集塵カップ３５１が被加工材に干渉してハンマ作業の支障になることを回避しつつ、集塵カップ３５１による粉塵の集塵性（キャッチのし易さ）の向上を図っている。すなわち、本実施形態の集塵アタッチメント３５０は、ハンマビット２１９が打撃動作のみを行うハンマ作業用として好適な構成とされている。
【００４４】
集塵カップ３５１は、カップ本体３５３とカップ取付部３５５からなり、カップ本体３５３の後端部がカップ取付部３５５の前端部外周に嵌合することによってカップ本体３５３とカップ取付部３５５が接合されている。集塵カップ３５１は、本発明における「集塵部材」に対応する。カップ本体３５３の内周には、周方向に等間隔で配置された複数のリブ３５３ａが内径方向に突出状に形成されている。複数のリブ３５３ａは、カップ本体３５３の先端から奥側（後方）に向って所定量だけ入り込んだ位置に設けられている。そして、カップ取付部３５５の前端面と当接することでカップ本体３５３とカップ取付部３５５との嵌め合い長さを規定するとともに、ハンマビット２１９の外周に対する間隔を狭めることで、粉塵に含まれる大きな欠片がカップ取付部３５５側に流出することを回避する部材として備えられている。これによって、下流側での粉塵詰まりを防止する上で有効に作用する。リブ３５３ａは、本発明における「隙間を詰める領域」に対応する。
【００４５】
なお、ハンマ作業用の集塵アタッチメント３５０に関する上記以外の構成については、第１の実施形態で説明した穴開け作業用の集塵アタッチメント２５０と同様とされる。従って、ハンマ作業用の集塵アタッチメント３５０の構成部材のうち上記以外の構成については、穴開け作業用の集塵アタッチメント２５０と同一の符号を付した上で、簡単に説明する。
【００４６】
集塵アタッチメント３５０は、集塵カップ３５１と、当該集塵カップ３５１を集塵機に接続する接続ホース２７３とを主体として構成される。そして当該接続ホース２７３は、結束バンド２７７によってモータハウジング２０５及びコードガイド（図示省略）に結わえられるとともに、モータハウジング２０５に設けたホース保持リブ２７９によって保持される。カップ取付部３５５は、接続ホース２７３が接続される粉塵排出ノズル２５９、ハンマビット２１９外径との隙間を塞ぐシール部材２６３を有する。また、カップ取付部３５５は、サイドグリップ２０８に対しベース部２８５の係合孔２６７に挿入される２本のポール２６５を介して取付けられるとともに、ポール２６５の係合溝２６５ａに係合部材２７１の係合突部２７１ａが弾発状に係合することによって取付け位置に保持されるように構成される。そして、カップ取付部３５５が取付けられた状態では、当該カップ取付部３５５とベース部２８５との間には、周方向に関して２本のポール２６５で区画されるビット取外し用としての２箇所の作業空間２６９が形成される。
【００４７】
上記のように構成された集塵アタッチメント３５０は、ハンマ作業時に適用され、ハンマ作業によって生じた粉塵を集塵カップ３５１で集塵するとともに、当該集塵カップ３５１に集塵された粉塵を集塵機により接続ホース２７３を介して強制的に吸引処理することができる。このため、強制集塵しない構成の場合であれば必要とされる、集塵カップ３５１に溜まった粉塵の処理作業が不要となり、合理的な集塵処理が実現される。また、集塵カップ３５１内の粉塵処理のために、加工作業を一時的に中断する必要も無くなり、作業性の向上にもつながる。
【００４８】
また、本実施の形態では、集塵カップ３５１のカップ本体３５３に設けたリブ３５３ａによって大きな欠片が下流側に吸い込まれることを抑制し、粉塵詰まりを防止できる。
また、本実施の形態に係る集塵アタッチメント３５０によれば、サイドグリップ２０８に対する取付けに関する作用効果、及び接続ホース２７３の取付けに関する作用効果については、第１の実施形態の場合と同様に奏するものである。
【００４９】
なお、穴開け作業用の集塵アタッチメント２５０と、ハンマ作業用の集塵アタッチメント３５０とを、ハンマドリル２０１に適用する場合においては、ハンマビット２１９の作業モードに応じて、すなわちハンマモードで駆動する場合と、ハンマドリルモードあるいはドリルモードで駆動する場合とに応じて、集塵カップ２５１，３５１のうちハンマビット２１９を包囲するカップ本体２５３，３５３を互いに取り換える形でハンマドリル２０１に取付けられる構成とすることができる。このような構成としたときは、当該作業に適するように構成された集塵カップ２５１，３５１を用いて粉塵を集塵することが可能となるため、粉塵の集塵処理を効率良く行なうことができるとともに、接続ホース２７３については、これを共用できることになり、合理的である。この場合、各集塵カップ２５１，３５１において、カップ本体２５３，３５３とカップ取付部２５５，３５５が着脱自在に接合される構成とされる。ハンマモードは、本発明の請求項５に記載の「第１作業モード」に対応し、ハンマドリルモードおよびドリルモードは、本発明の請求項５に記載の「第２作業モード」に対応する。
なお、集塵カップ２５１，３５１の取り換えについては、カップ本体２５３，３５３のみを取り換える形態に限らず、カップ取付部２５５，３５５を含めた全体を取り換える形態であっても構わない。
【００５０】
（本発明の第３の実施形態）
次に、本発明の第３の実施形態につき、図１０及び図１１を参照しつつ説明する。この実施の形態は、集塵アタッチメント３５０を電動式のハンマ３０１に適用したものである。図１０に示す電動式のハンマ３０１は、第１の実施形態に係るハンマドリル２０１と同様に、駆動モータ３１１の回転軸線がハンマビット３１９の長軸方向に対して交差するように駆動モータ３１１が縦向きに配置されたタイプのハンマであり、モータハウジング３０５とギアハウジング３０７が概ねＬ型をなすボディ構造とされる。なお、電動ハンマ３０１は、ハンマビット３１９を駆動する内部機構が回転を伝達する機構を有していない点以外については、第１の実施形態のハンマドリル２０１と同様に構成されている。すなわち、内部機構として、駆動モータの３１１の回転出力を直線運動に変換する運動変換機構（クランク機構）３１３と、当該運動変換機構３１３の直線運動成分を介して本体部３０３の長軸方向（図１０における左右方向）に直線動作することでハンマビット３１９に打撃動作を加える打撃要素３１５とを有するが、従来周知であるゆえ、その詳細については説明を省略する。
【００５１】
本実施の形態に係る電動式のハンマ３０１は、図１１に示すように、本体部３０３の先端領域に、ハンマビット３１９を保持する工具保持装置２０４と、当該工具保持装置２０４に保持されたハンマビット３１９の角度（周方向位置）を定めるためのビット角度決め機構（バリオロック機構）３３０とを備えている。なお、工具保持機構２０４については、前述した第１の実施の形態の場合と同様に構成されているため、同一符号を付してその説明を省略する。
【００５２】
ビット角度決め機構３３０は、工具保持装置２０４の長軸方向回りの回転を規制する略円環状のロックリング３３１と、当該ロックリング３３１による回転規制を解除するためのビット角度調整作業用の略筒状のロック解除スリーブ３３３とを主体として構成されている。ロック解除スリーブ３３３は、本発明における「ビット角度調整作業用の操作部材」に対応する。ロックリング３３１は、工具保持装置２０４の構成部材の１つであるツールホルダ２４１の外側の長軸方向中間位置に配置され、ハンマビット３１９の長軸方向へのスライド動作が可能とされている。そして、ロックリング３３１は、内周面側に設けたロック爪３３１ａがツールホルダ２４１の外側に設けた爪と噛み合い係合し、また長軸方向後端に設けたロック爪３３１ｂがバレル部３０６に対し周方向への移動が規制された固定スリーブ３３５の長軸方向前端に設けた爪と噛み合い係合することによって工具保持装置２０４の回転を規制し、ハンマ作業中にハンマビット３１９が周方向に無用に回転することを防止する。
【００５３】
ロック解除スリーブ３３３は、工具保持装置２０４のビット取外し作業用のツールスリーブ２４５の後方で、かつロックリング３３１の外側に当該ロックリング３３１と共に長軸方向にスライド可能に配置されている。そして、ロック解除スリーブ３３３の摘み部３３３ａを掴んで前方へとスライド操作することにより、固定スリーブ３３５の爪に対する当該ロックリング３３１のロック爪の噛み合い係合を解除し、工具保持装置２０４の回転規制を解除することが可能とされている。
【００５４】
なお、ロック解除スリーブ３３３は、長軸方向の前端側がビット取外し作業用のツールスリーブ２４５の内側に向って長軸方向に延在されるとともに、その延在端部の内向きフランジ部がロックリング３３１の前面に係止され、かつ止め輪３３７を介して接合されることでロックリング３３１と一体化されている。また、ロック解除スリーブ３３３の後端側は、バレル部３０６の前端外周に被さり、この後端部が手指によって操作される摘み部３３３ａと定められている。これにより、ツールスリーブ２４５の摘み部２４５ａとロック解除スリーブ３３３の摘み部３３３ａが、ハンマビット３１９の長軸方向に関して所定間隔を置いて隣接した状態で配置されている。また、ロック解除スリーブ３３３とビット取外し作業用のツールスリーブ２４５との間には、付勢バネ２４９が介在状に配置されており、この付勢バネ２４９によってロック解除スリーブ３３３を介してロックリング３３１が固定スリーブ３３５の爪と噛み合い係合するロック位置に付勢保持されている。
【００５５】
次に、集塵アタッチメント３５０につき説明する。この実施の形態に係る集塵アタッチメント３５０は、前述した第２の実施形態と同様に構成されるため、同一符号を付してその説明を省略する。なお、集塵カップ３５１を集塵機に接続する接続ホースについては、便宜上、図示を省略している。集塵カップ３５１は、サイドグリップ２０８に対し２本のポール２６５を介して取付けられ、当該取付けられた状態では、カップ取付部３５５とサイドグリップ２０８のベース部２８５との間には、周方向に関して２本のポール２６５で区画されるビット取外し用としての２箇所の作業空間２６９が形成される。そしてこの作業空間２６９に前述したビット取外し作業用のツールスリーブ２４５の摘み部２４５ａと、ビット角度調整作業用のロック解除スリーブ３３３の摘み部３３３ａが臨む構成とされる。
【００５６】
すなわち、本実施の形態は、本体部３０３の先端領域にハンマビット３１９を保持する工具保持装置２０４と、当該工具保持装置２０４によって保持されたハンマビット３１９の角度を定めるビット角度ロック機構３３０を備えた電動ハンマ３０１において、バレル部３０６に取付けられたサイドグリップ２０８に対して集塵アタッチメント３５０を２本のポール２６５を介して取付ける構成としている。そして、集塵アタッチメント３５０に作業空間２６９を設定し、この作業空間２６９を通して工具保持装置２０４に関するビット取外し作業用のツールスリーブ２４５の摘み部２４５ａと、ビット角度決め機構３３０に関するビット角度調整作業用のロック解除スリーブ３３３の摘み部３３３ａが臨む構成としている。従って、本実施の形態によれば、集塵アタッチメント３５０をサイドグリップ２０８に取付けたままの状態で、ハンマビット３１９の取外し作業、及びハンマビット３１９のビット角度調整作業を行うことができ、作業性を向上することができる。
【００５７】
上記発明の趣旨に鑑み、以下の態様を構成することが可能とされる。
（態様１）
「請求項１に記載の集塵アタッチメントであって、前記集塵部材は、長軸方向に伸縮自在なカップ本体と、前記補助ハンドルに取付け可能なカップ取付部とを有することを特徴とする。」
【００５８】
（態様２）
「請求項１に記載の集塵アタッチメントであって、前記集塵部材は、先端側に向って内径が大きくなる円錐筒状のカップ本体と、前記補助ハンドルに取付け可能なカップ取付部とを有することを特徴とする。」
【符号の説明】
【００５９】
２０１  ハンマドリル（作業工具）
２０３  本体部（工具本体）
２０４  工具保持装置
２０５  モータハウジング
２０６  バレル部
２０７  ギアハウジング
２０８  サイドグリップ（補助ハンドル）
２０９  ハンドグリップ
２０９ａ  トリガ
２１５  打撃要素
２１９  ハンマビット（工具ビット）
２３５  ストライカ
２３７  インパクトボルト
２４１  ツールホルダ
２４１ａ  ビット挿入孔
２４３  係止爪
２４５  ツールスリーブ（操作部材）
２４５ａ  摘み部
２４７  規制リング
２４９  付勢バネ
２５０  集塵アタッチメント
２５１  集塵カップ（集塵部材）
２５３  カップ本体
２５５  カップ取付部
２５９  粉塵排出ノズル
２６３  シール部材
２６５  ポール
２６５ａ  係合溝
２６７  係合孔
２６９  作業空間（開放部）
２７１  係合部材
２７１ａ  係合突部
２７３  接続ホース
２７５  コードガード
２７７  結束バンド
２７９  ホース保持リブ
２８１  グリップ装着部
２８３  バンド部
２８５  ベース部
２８５ａ  係合面
２８６  ナット
２８７  グリップ部
２８９  ネジ付き操作ロッド
３０１  電動ハンマ（作業工具）
３０３  本体部
３０５  モータハウジング
３０６  バレル部
３０７  ギアハウジング
３１１  駆動モータ
３１３  運動変換機構
３１５  打撃要素
３１９  ハンマビット
３３０  ビット角度位置決め機構
３３１  ロックリング
３３１ａ  ロック爪
３３１ｂ  ロック爪
３３３  ロック解除スリーブ（操作部材）
３３３ａ  摘み部
３３５  固定スリーブ
３３７  止輪
３５０  集塵アタッチメント
３５１  集塵カップ（集塵部材）
３５３  カップ本体
３５５  カップ取付部
【図１】
0005575429.tif 000002
【図２】
0005575429.tif 000003
【図３】
0005575429.tif 000004
【図４】
0005575429.tif 000005
【図５】
0005575429.tif 000006
【図６】
0005575429.tif 000007
【図７】
0005575429.tif 000008
【図８】
0005575429.tif 000009
【図９】
0005575429.tif 000010
【図１０】
0005575429.tif 000011
【図１１】
0005575429.tif 000012